(57)【要約】【課題】コンパクトな構造でありながら、地震時においてストッパー部を比較的強い力で回転移動させて物品の落下を確実に防止できる感震式物品落下防止装置を提供する。【解決手段】左右方向を向く軸部８と、軸部８の周囲を回転移動する左右方向を向くストッパー部９と、軸部８に対する放射線方向の距離が変化する重心を持つウエイト部１０と、からなるストッパー部材１２が、物品１５を載置する棚板５の前縁に配置されており、地震時における所定の振動でウエイト部１０の重心が軸部８から離間する方向へ移動することにより、棚板５の前縁に位置し左右方向を向くストッパー部９が棚板５上面より上方に突出する。【選択図】図４
2014068996.tif 000002
【特許請求の範囲】
【請求項１】
左右方向を向く軸部と、該軸部の周囲を回転移動する左右方向を向くストッパー部と、前記軸部に対する放射線方向の距離が変化する重心を持つウエイト部と、からなるストッパー部材が、物品を載置する棚板の前縁に配置されており、地震時における所定の振動で前記ウエイト部の重心が前記軸部から離間する方向へ移動することにより、前記棚板の前縁に位置し左右方向を向くストッパー部が棚板上面より上方に突出することを特徴とする感震式物品落下防止装置。
【請求項２】
前記ウエイト部の重心が前記軸部から離間する前方方向へ移動することにより、前記ストッパー部が棚板の前縁近傍位置から前方方向への移動を伴いながら棚板上面より上方に突出することを特徴とする請求項１に記載の感震式物品落下防止装置。
【請求項３】
前記ストッパー部と前記ウエイト部とが一体的に構成され、地震時における所定の振動で、前記ストッパー部と前記ウエイト部一体の総重心が前記軸部から離間する方向へ移動し、前記軸部の周囲を回転移動するように構成されていることを特徴とする請求項１または２に記載の感震式物品落下防止装置。
【請求項４】
前記ストッパー部材が、軸部としての回転軸と連動して回転移動する左右方向を向くストッパー部と、前記回転軸に対する放射線方向の距離が変化する重心を持つウエイト部と、からなり、地震時における所定の振動で前記ウエイト部の重心が回転軸から離間する方向へ移動し、前記ウエイト部が回転軸の周囲を回転移動するようになっていることを特徴とする請求項１ないし３のいずれかに記載の感震式物品落下防止装置。
【発明の詳細な説明】
【技術分野】
【０００１】
本発明は、書架や物品棚等における物品落下防止装置に関し、特に地震時の振動によって作動し、棚板に載置していた書籍や商品等が落下しないようにした感震式物品落下防止装置に関する。
【背景技術】
【０００２】
従来、地震などによる強い揺れによって書架からの書籍の落下を防止するために、感震式の物品落下防止装置を備える書架が開発されており、例えば特許文献１に示されるような感震式物品落下防止装置がある。これは左右方向を向く回転軸から離間させて左右方向を向くストッパー部およびウエイトを配設し、地震時の振動によりセットされたウエイトのバランスが崩れることで、ウエイトの重心がストッパー部側から回転軸を挟んで反対側に移動し、自由落下するウエイトによりストッパー部を上方に持ち上げる機構になっており、ストッパー部で前面側に移動しようとする書籍を規制するものである。
【先行技術文献】
【特許文献】
【０００３】
【特許文献１】特許第３６２９９６１号公報（段落［００１５］，［００１６］、第３，４図）
【発明の概要】
【発明が解決しようとする課題】
【０００４】
しかしながら、特許文献１にあっては、回転軸と対に配置された自由落下するウエイトを利用してストッパー部を作動させ、棚の前面側に移動しようとする書籍を規制する技術であるため、地震時にストッパー部を適正な位置まで移動させるには、回転軸とウエイトの重心との間のアームの長さを長くとり所定の回転トルクを得る必要があり、装置は大型化するばかりか、見栄えも良いものではなかった。また、地震時における物品落下防止機能を高めるには、ウエイトを回転軸からより遠くへ離しそのアーム長を利用してストッパー部を移動させるための回転トルクを高めるか、もしくはウエイトの重量を増すしかないが、ウエイトを回転軸からより遠くへ離す手段を採用した場合、前述したようにアームの長さが長くなり装置の大型化は免れない。またウエイトの重量を増大させた場合には、地震に対する感震機能が劣ることになる。
【０００５】
本発明は、このような問題点に着目してなされたもので、コンパクトな構造でありながら、地震時においてストッパー部を比較的強い力で回転移動させて物品の落下を確実に防止できる感震式物品落下防止装置を提供することである。
【課題を解決するための手段】
【０００６】
前記課題を解決するために、本発明の感震式物品落下防止装置は、
左右方向を向く軸部と、該軸部の周囲を回転移動する左右方向を向くストッパー部と、前記軸部に対する放射線方向の距離が変化する重心を持つウエイト部と、からなるストッパー部材が、物品を載置する棚板の前縁に配置されており、地震時における所定の振動で前記ウエイト部の重心が前記軸部から離間する方向へ移動することにより、前記棚板の前縁に位置し左右方向を向くストッパー部が棚板上面より上方に突出することを特徴としている。
この特徴によれば、地震時における所定の振動で前記ウエイトの重心が前記軸部から離間する方向への移動することにより、ウエイト部の移動完了時にストッパー部に対し瞬間的に比較的強い力がかかり、ストッパー部を回転できることとなり、コンパクトな構造でありながら、地震時において物品の落下を確実に防止できる感震式物品落下防止装置を提供できることになる。
【０００７】
本発明の感震式物品落下防止装置は、
前記ウエイト部の重心が前記軸部から離間する前方方向へ移動することにより、前記ストッパー部が棚板の前縁近傍位置から前方方向への移動を伴いながら棚板上面より上方に突出することを特徴としている。
この特徴によれば、感震によりウエイト部の重心が前記軸部から離間する前方方向へ移動することにより、ストッパー部の駆動に供される回転モーメントのアーム長が有効に稼げるため、ストッパー部を比較的強いトルクで回転できることとなる。更に、前記ストッパー部が棚板の前縁近傍位置から前方方向への移動を伴いながら棚板上面より上方に突出するようになっているため、地震により前面側に移動しようとする書籍を前記ストッパー部が同方向へ移動しながら規制することになり、書籍をストッパー部で規制するまでの距離を稼ぐことができるため、地震時の落下防止能力が向上する。
【０００８】
本発明の感震式物品落下防止装置は、
前記ストッパー部と前記ウエイト部とが一体的に構成され、地震時における所定の振動で、前記ストッパー部と前記ウエイト部一体の総重心が前記軸部から離間する方向へ移動し、前記軸部の周囲を回転移動するように構成されていることを特徴としている。
この特徴によれば、落下防止装置の構造が簡素化されるばかりか、感震時における移動部材が最少化でき地震時の落下防止能力が向上する。
【０００９】
本発明の感震式物品落下防止装置は、
前記ストッパー部材が、軸部としての回転軸と連動して回転移動する左右方向を向くストッパー部と、前記回転軸に対する放射線方向の距離が変化する重心を持つウエイト部と、からなり、地震時における所定の振動で前記ウエイト部の重心が回転軸から離間する方向へ移動し、前記ウエイト部が回転軸の周囲を回転移動するようになっていることを特徴としている。
この特徴によれば、回転軸の回動にストッパー部材が連動するため、ストッパー部材が回転軸により正確に案内されることになり、地震時において物品の落下を確実に防止できる。
【図面の簡単な説明】
【００１０】
【図１】実施例１における物品収納棚を示す斜視図である。
【図２】実施例１における落下防止装置を示す斜視図である。
【図３】（ａ）は、実施例１における落下防止装置の通常状態を示す側断面図であり、（ｂ）は、実施例１における感震によりウエイト部が回転軸から離間する方向に移動した状態を示す側断面図である。
【図４】（ａ）は、実施例１におけるウエイト部及びストッパー部が回転軸の周囲を回転した状態を示す側断面図であり、（ｂ）は、実施例１におけるストッパー部が棚板上面より上方に突出した状態を示す側断面図である。
【図５】実施例２における落下防止装置を示す斜視図である。
【図６】（ａ）は、実施例２における落下防止装置の通常状態を示す側断面図であり、（ｂ）は、実施例２における感震によりウエイト部が回転軸から離間する方向に移動した状態を示す側断面図である。
【図７】（ａ）は、実施例２におけるウエイト部及びストッパー部が回転軸の周囲を回転した状態を示す側断面図であり、（ｂ）は、実施例２におけるストッパー部が棚板上面より上方に突出した状態を示す側断面図である。
【図８】実施例３における落下防止装置を示す斜視図である。
【図９】（ａ）は、実施例３における落下防止装置の通常状態を示す側断面図であり、（ｂ）は、実施例３における感震によりウエイト部及びストッパー部が回転軸から離間する方向に移動した状態を示す側断面図である。
【図１０】（ａ）は、実施例３におけるウエイト部及びストッパー部が回転軸の周囲を回転した状態を示す側断面図であり、（ｂ）は、実施例３におけるストッパー部が棚板上面より上方に突出した状態を示す側断面図である。
【発明を実施するための形態】
【００１１】
本発明に係る感震式物品落下防止装置を実施するための形態を実施例に基づいて以下に説明する。
【実施例１】
【００１２】
実施例１に係る感震式物品落下防止装置につき、図１から図４を参照して説明する。図１は、本発明の感震式物品落下防止装置（以下、落下防止装置という）１を装着した書棚としての物品収納棚２の斜視図であり、この物品収納棚２は、左右方向に離間する側板３，３と、各側板３，３の上端部の対向面同士を連結している天板６と、各側板３，３の互いに対向し合う側面に支持された上下複数段の棚板５と、から成っており、側板３，３により棚板５の左右の端部から落下することが防止された状態で各段の棚板５の上面に書籍１５が複数載置されている。また、落下防止装置１は、後述するように各段の棚板５の前面（前縁）に取付けられている。尚、本実施例においては、物品収納棚２を書棚と想定して説明するが、これに限られず、商品を陳列するための什器等でもよい。
【００１３】
後に詳述するが、落下防止装置１は、地震などの衝撃が加わった際に、棚板５の上面より上方にストッパー部９を突出させることで、このような物品収納棚２からの書籍１５の落下を防止する装置である。尚、このような物品収納棚２は、収納効率の観点から一般的に各段の離間距離は書籍１５の上下寸法より若干広く設計されているため、棚板５の上面に載置された書籍１５が前方側に所定角度傾くと、書籍１５の後端側上部の角が直上に位置する棚板５の底面５ａ、若しくは天板６の底面６ａに当接するようになっている。
【００１４】
図２に示されるように、落下防止装置１は、後述する回転軸８、ストッパー部９及びウエイト部１０から成るストッパー部材１２と、棚板５の前面に取付けられストッパー部材１２を支持する支持部材７と、支持部材７に接続されストッパー部材１２を覆うカバー部材１３と、主にから構成されている。
【００１５】
支持部材７は、棚板５の前面に対しボルト等により着脱可能に取付けられる基板部７ａと、基板部７ａの両端部に位置し前方に突設される側板部７ｂ，７ｂと、側板部７ｂ，７ｂをそれぞれ貫通する貫通孔７ｃ，７ｃと、から成っており、この貫通孔７ｃ，７ｃには、前記回転軸８が左右方向を向いて回転可能に遊嵌されている。
【００１６】
この回転軸８は、本実施例における軸部であり、前記ストッパー部９が基板部７ａ側に位置するように固着され、回転軸８の回転に伴ってストッパー部９が回転するようになっている。このストッパー部９は、回転軸８の径方向に比較的長い辺を有する係止部９ａを備え、係止部９ａよりも回転軸８の径方向に短い辺を有する支持部９ｂが係止部９ａにおける回転軸８に固着された側の端部から略垂直に延設されており、断面視略Ｌ字形状を成している。更に、このストッパー部９は、高摩耗部材で構成されており、摩擦係数が高くなっている。尚、ストッパー部９は、回転軸８に固着されるものに限られず、別体の部材を介して回転軸８に取付けられてもよい。
【００１７】
また、図２及び図３に示されるように、回転軸８には、軸方向と直交する挿通孔８ａが軸方向に所定間隔離間して２箇所設けられており、各挿通孔８ａには、挿通孔８ａの軸方向に移動可能な杆部材１４，１４がそれぞれ挿通されている。この杆部材１４におけるストッパー部９側の端部には、外径方向に張り出す係止部１４ａがそれぞれ設けられており、係止部１４ａが係止部９ａの孔部９ｄを通過して挿通孔８ａの周縁に係止されることで挿通孔８ａから杆部材１４が抜け出さないようになっている。尚、回転軸８の挿通孔８ａは、２箇所設けられることに限られず、１箇所、もしくは３箇所以上に複数設けられてもよい。
【００１８】
この杆部材１４における係止部１４ａと対向する側の端部には、所定の重量を有し左右方向を向く前記ウエイト部１０がビス等により固定されている。換言すれば、ウエイト部１０は、回転軸８に対して杆部材１４の移動とともに近接、若しくは離間方向に移動することができるようになっている。尚、ウエイト部１０は、杆部材１４の端部に固定されるものに限られず、回転軸に対し近接、若しくは離間方向に向けて杆部材に沿って移動可能に設けられてもよい。
【００１９】
また、カバー部材１３は、左右方向を向く前面部１３ａと、前面部１３ａの両端部に位置し後方に突設される側板部１３ｂ，１３ｂと、前面部１３ａ及び側板部１３ｂ，１３ｂに亘って設けられ左右方向を向く底面部１３ｄと、側板部１３ｂ，１３ｂをそれぞれ貫通する貫通孔１３ｃ，１３ｃと、から構成されており、貫通孔１３ｃ，１３ｃを支持部材７から外方に突出した回転軸８の両側の端部８ｂに接続した後、各端部８ｂにキャップ４２を嵌合することで支持部材７に装着するようになっている。これによりストッパー部材１２が外方に剥き出しにならないため、例えば利用者が誤ってストッパー部材１２に接触することが防がれ、誤作動が防止される。
【００２０】
また、前面部１３ａ及び底面部１３ｄには、一部開口する開口部１３ｅが形成されており、後に詳述するが、落下防止装置１の作動時には、ウエイト部１０及び杆部材１４がこの開口部１３ｅを通り抜けて干渉しないようになっているとともに、落下防止装置１の管理者は開口部１３ｅを介して回動移動した後のウエイト部１０を外方から回動移動前の位置へ押し戻すことができる。尚、管理者はウエイト部１０を回動移動前の位置へ押し戻しの完了を、杆部材１４の係止部１４ａが支持部材７の基板部７ａに当接したことで認知可能である。
【００２１】
更に、カバー部材１３の上板にはストッパー部９における係止部９ａが回動時に干渉しないように開口Ａが設けられている。
【００２２】
続いて、落下防止装置１によって書籍１５の落下が防止されるまでの様子を図３及び図４を用いて説明する。
【００２３】
図３（ａ）に示されるように、落下防止装置１の通常状態において、ストッパー部９は、回転軸８よりも棚板５側に配設されており、ウエイト部１０が回転軸８に対し近付いた状態、つまり棚板５側に重心がかかった状態で係止部９ａが棚板５の前面に当接している。このとき、係止部９ａの上端部は棚板５の上面よりも下方に位置しており、棚板５への書籍１５の出し入れは支障なく行うことができる。
【００２４】
そして、地震等により物品収納棚２に振動が加わると、図３（ｂ）に示されるように、棚板５の上面に載置された複数の書籍１５が棚板５の前方側に向けて移動する。そして、このように落下防止装置１に所定以上の振動が伝わると、ウエイト部１０が回転軸８に対し離間する前方側に移動して、ストッパー部材１２の重心が前方側に変位する。すなわち、ウエイト部１０が回転軸８から離間方向に移動してストッパー部材１２の重心を変化させ、その後、ウエイト部１０が回転軸８の周囲を回転移動することにより、回転軸８が回転トルクを得ることができるようになっている。
【００２５】
次いで、図４（ａ）に示されるように、ストッパー部材１２の重心が前方に変位することに伴ってウエイト部１０が回転軸８の周囲を回転移動し、この回転力が杆部材１４を通じて回転軸８及びストッパー部９を回転軸８を中心に回転させる。そして、このストッパー部９の回転によりストッパー部９の係止部９ａが棚板５の前面の近傍位置から前方方向への移動を伴いながら棚板５上面より上方に突出する。
【００２６】
図４（ｂ）に示されるように、ストッパー部９は、係止部９ａが棚板５の上面と略垂直になるまで回転軸８が回転したところで、支持部９ｂの端面９ｃが支持部材７の基板部７ａに当接するようになっており、それ以上回転しないようになっており、前方側に向けて移動した書籍１５が棚板５の係止部９ａに規制されて棚板５から落下することが防止される。
【００２７】
尚、上述したように、このような物品収納棚２は、書籍１５が前方側に所定角度傾くと、書籍１５の後端側上部の角が直上に位置する棚板５の底面５ａ、若しくは天板６の底面６ａに当接するようになっているため、図４の（ｂ）のように、係止部９ａがある程度棚板５上面より上方に突出すれば、書籍１５が係止部９ａを支点に回転して落下する慮がない。
【００２８】
以上説明したように、この落下防止装置１は、棚板５の前面に設けられ、支持部材７内においてストッパー部９やウエイト部１０が回転軸８を中心に回転するため、装置自体を極めてコンパクトにすることができる。更に、地震時における所定の振動でウエイト部１０の重心が回転軸８から離間する方向への移動することにより、ストッパー部９の駆動に供される回転モーメントのアーム長が有効に稼げるため、ストッパー部９を比較的強いトルクで回転できる。したがって、コンパクトな構造でありながら、地震時において書籍１５の落下を確実に防止することができる。
【００２９】
また、感震により係止部９ａが棚板５の前面の近傍位置から前方方向への移動を伴いながら棚板５上面より上方に突出するようになっているため、地震により前面側に移動しようとする書籍１５を係止部９ａが同方向へ移動しながら規制することになり、書籍１５が係止部９ａに規制されるまでの距離を稼ぐことができ、地震時の書籍１５の落下防止能力が向上する。
【００３０】
また、回転軸８にストッパー部材１２が固着されており、回転軸８の回動にストッパー部材１２が連動するため、ストッパー部材１２が回転軸８により正確に案内されることになり、地震時において物品の書籍１５の落下を確実に防止できる。
【００３１】
また、ストッパー部９が高摩耗部材で構成されていることにより、例え何らかの原因で、感震時に棚板５上面における効果的な位置までストッパー部９が突出できなかったとしても、棚板５上面よりも上方に少しでも突出していれば、ストッパー部９の摩擦力で書籍１５の落下を効果的に阻止できることになる。
【実施例２】
【００３２】
次に、実施例２に係る落下防止装置１１につき、図５から図７を参照して説明する。尚、前記実施例と同一構成で重複する説明を省略する。
【００３３】
図５に示されるように、落下防止装置１１の支持部材１７の貫通孔１７ｃ，１７ｃには、回転軸１８が回転可能に遊嵌されている。この回転軸１８には、基板部１７ａ側に位置するように固着されたストッパー部９と対向する側に軸方向に所定間隔離間して取付け部１８ａが２箇所設けられており、取付け部１８ａには、例えば、ワイヤー等の紐状部材４０を介して棒状のウエイト部１１０が取付けられている。尚、紐状部材４０は、ナイロンやポリプロピレン等の多種の材料から適宜選択して形成してもよいが、弾性の少ない素材を使用することが好ましい。
【００３４】
また、支持部材１７における基板部１７ａ及び側板部１７ｂ，１７ｂに亘って左右方向を向く底面部１７ｄには、通常状態時にウエイト部１１０を保持する保持部４１，４１が設けられている。後に詳述するが、この保持部４１，４１は、落下防止装置１１に所定以上の振動が伝わった場合、ウエイト部１１０の保持力を失うように設計されている。
【００３５】
また、カバー部材１１３は、前面部１１３ａ、側板部１１３ｂ，１１３ｂ及び貫通孔１１３ｃ，１１３ｃから構成され、貫通孔１１３ｃ，１１３ｃを支持部材１７から外方に突出した回転軸１８の両側の端部１８ｂに接続することで支持部材１７に着脱可能となっている。また、前面部１１３ａには、一部開口する開口部１１３ｅが形成されており、この開口部１１３ｅをウエイト部１１０が出入り可能になっている。
【００３６】
図６（ａ）に示されるように、ストッパー部９は、回転軸１８よりも棚板５側に配設されており、落下防止装置１１の非作動時は、係止部９ａの上端部が棚板５の上面よりも下方に位置した状態で棚板５の前面に当接している。
【００３７】
保持部４１，４１は、回転軸８の近傍位置における支持部材１７の底面部１７ｄに固着されており、前後に備えた突起４１ａ，４１ｂの間でウエイト部１１０を保持している。
【００３８】
続いて、落下防止装置１１によって書籍１５の落下が防止されるまでの様子を図６及び図７を用いて説明する。地震等により物品収納棚２に所定以上の振動が伝わると、図６（ｂ）に示されるように、棚板５の上面に載置された複数の書籍１５が棚板５の前方側に向けて移動する。そして、このように落下防止装置１１に所定以上の振動が伝わると、ウエイト部１１０が前後に移動する力が働き、ウエイト部１１０が保持部４１の前方側の突起４１ａを乗り越えて前方方向に飛び出す。尚、このときウエイト部１１０は開口部１１３ｅを介してカバー部材１１３の外側へ飛び出すようになっている。
【００３９】
次いで、図７（ａ）に示されるように、ウエイト部１１０は、前方に飛び出すとともに下方に落下することから、略前方斜め下方向に移動する。そして、紐状部材４０が張られながら支持部材１７の底面部１７ｄの上部角部１７ｋに当接するようになる。
【００４０】
その後、図７（ｂ）に示されるように、ウエイト部１１０は、紐状部材４０における底面部１７ｄの上部角部１７ｋに当接した部位を支点に下方に向けて移動する。そして、紐状部材４０の張力が最大となった時点でウエイト部１１０の落下時の荷重が取付け部１８ａを介して回転軸８に伝わり、瞬間的に大きな回転トルクを得るようになる。これにより、ストッパー部９が回転軸１８の周方向に沿って移動し、ストッパー部９の係止部９ａが棚板５の前面の近傍位置から前方方向への移動を伴いながら間隙Ａ’を介して棚板５上面より上方に突出するようになる。
【００４１】
また、図７（ｂ）に示されるように、ストッパー部９は、係止部９ａが棚板５の上面と略垂直になるまで回転軸８が回転したところで、支持部９ｂの端面が支持部材７の基板部７ａに当接するようになっており、それ以上回転しないようになっており、前方側に向けて移動した書籍１５が棚板５の係止部９ａに規制されて棚板５から落下することが防止される。
【実施例３】
【００４２】
次に、実施例３に係る落下防止装置２１につき、図８から図１０を参照して説明する。尚、前記実施例と同一構成で重複する説明を省略する。
【００４３】
図８に示されるように、落下防止装置２１の支持部材２７は、側板部２７ｂ，２７ｂに対向面同士に向けて所定長さ延びる軸部２８，２８がそれぞれ固着されている。
【００４４】
また、図８及び図９（ａ）に示されるように、本実施例のストッパー部２９は板状体を成しており、落下防止装置２１の非作動時において、棚板５の上面と略水平になるようにストッパー部２９の上板部２９０における後方側の端面２９０ｂが当接されている。そのため、落下防止装置２１の非作動時においては、ストッパー部２９の上板部２９０の上面２９０ａを棚板５の延長として使用することができる。
【００４５】
また、本実施例のストッパー部２９は、金属製の板体から主に形成されているためある程度の重さを有するとともに、仮想線で示される位置を重心Ｙとして前後のバランスがとられている。詳しくは、ストッパー部２９は、上板部２９０と、前板部２１０と、前板部２１０及び上板部２９０の間に形成される挿通部１２１と、により主に構成されている。挿通部１２１は、前後方向に長い幅で形成されており、この挿通部１２１に軸部２８，２８を挿入することで、ストッパー部２９が前後方向の移動及び回動可能な状態で遊嵌されている。
【００４６】
そして、図９（ａ）に示されるように、落下防止装置２１の非作動時においてストッパー部２９は、当該ストッパー部２９の重心Ｙが少なくとも軸部２８の軸心Ｘより後方に存在するように配置されており、上板部２９０の端面２９０ｂが支持部材２７の基板部２７ａに当接されて支持されている。
【００４７】
このように、本実施例のストッパー部２９は、軸部２８から相対的に前後に移動されることで、軸部２８の軸心Ｘを中心として前後の重量バランスが変化するようになっている。すなわち、本実施例におけるストッパー部２９は、前記実施例におけるウエイト部としての機能も一体的に有した構造となっている。
【００４８】
次いで、ストッパー部２９は、前方に移動したことで重量バランスが前方側に偏り、前板部２１０側が下方に落下するように移動し、全体としては略前方斜め下方向に移動する。そして、図１０（ａ）に示されるように、挿通部１２１における後方側の内側面１２１ａが軸部２８，２８の外周面に当接すると、ストッパー部２９が軸部２８，２８を支点に軸部２８，２８の周囲を回転移動するようになり、この回転移動に伴い上板部２９０の後端側が棚板５上面より上方に突出するようになる。
【００４９】
そして、図１０（ｂ）に示されるように、ストッパー部２９が所定角度回転すると、前板部２１０の端部２１０ａが支持部材２７の基板部２７ａに当接し、それ以上回転しないようになるため、前方側に向けて移動した書籍１５が棚板５のストッパー部２９に規制され棚板５から落下することが防止される。尚、このとき上板部２９０の後端側は、前述したストッパー部２９の前方への移動により前方への移動を伴いながら棚板５上面より上方に突出するため、書籍１５が上板部２９０の後端側に規制されるまでの距離を稼ぐことができ、地震時の書籍１５の落下防止能力が向上する。
【００５０】
このように、ストッパー部２９にウエイトとしての機能が一体的に構成されていることにより、落下防止装置２１を構成する部品が少なくなり構造が簡素化されるため、生産コストを抑えることができるばかりか、軸部２８，２８の周囲を回転移動する部材を最小化でき、落下防止装置２１の設置スペースを省略して図１に示したような物品収納棚２の使い勝手を向上させることができる。尚、ストッパー部２９は必ずしも本実施例のように一体構造物でなくともよく、ストッパー部２９に固着されるようにして別体のウエイトを取付けた構造であってもよい。
【００５１】
更に尚、本実施例の軸部２８，２８は、側板部２７ｂ，２７ｂから互いの対向面同士に向けて所定長さ延びて形成されていたが、これに限られず、側板部の互いの対向面同士を連結する固定軸を使用してもよい。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、ストッパー部９が基板部７ａ側に位置しており、ウエイト部１０が回転軸８から離間する前方方向に移動することでストッパー部９が棚板５上面より上方に突出するようになっていたが、これに限られず、例えば、ストッパー部を前方側に配設し、ウエイト部が回転軸から離間する後方側に移動することでストッパー部が棚板上面より上方に突出するようにしてもよい。
【００５４】
また、前記実施例では、落下防止装置が棚板５の前面に取付けられていたが、これに限られず、例えば、落下防止装置が棚板の前縁に一体に形成されてもよく、落下防止装置は、棚板の前方側に設けられるものであればよい。
【符号の説明】
【００５５】
１                落下防止装置
２                物品収納棚
５                棚板
７                支持部材
８                回転軸（軸部）
９                ストッパー部
１０              ウエイト部
１１              落下防止装置
１２              ストッパー部材
１３              カバー部材
１４，１４        杆部材
１５              書籍（物品）
１７              支持部材
１８              回転軸（軸部）
２１              落下防止装置
２７              支持部材
２８，２８        軸部
２９              ストッパー部
４０              紐状部材
４１，４１        保持部
１１０            ウエイト部
１１３            カバー部材
【図１】
2014068996.tif 000003
【図２】
2014068996.tif 000004
【図３】
2014068996.tif 000005
【図４】
2014068996.tif 000006
【図５】
2014068996.tif 000007
【図６】
2014068996.tif 000008
【図７】
2014068996.tif 000009
【図８】
2014068996.tif 000010
【図９】
2014068996.tif 000011
【図１０】
2014068996.tif 000012